(57)【特許請求の範囲】
【請求項１】
撮像画像データを取得する撮像画像データ取得部と、
撮像画像データに付与するタグを指定させるための一つ以上のインターフェイスデータと、過去の撮像地点の位置情報、前記撮像地点において使用した前記インターフェイスデータ、及び撮像日時を対応付けたデータ列を備えた履歴情報とを記憶する記憶部と、
前記撮像画像データの撮像状況に関する情報として本画像処理装置の位置情報を取得する撮像状況情報取得部と、
前記撮像状況情報取得部が取得した前記位置情報と、前記履歴情報とに基づいて、前記記憶部が記憶したインターフェイスデータの中から少なくとも一つのインターフェイスデータを特定するインターフェイス特定部と、
前記インターフェイス特定部が特定したインターフェイスデータからインターフェイス画像データを生成し、そのインターフェイス画像データと前記撮像画像データから表示用画像データを生成する表示用画像生成部とを備えることを特徴とする画像処理装置。
【請求項２】
前記記憶部はさらに、施設情報とその施設の位置情報との対応関係を示す地図情報を記憶し、
前記インターフェイス特定部はさらに、前記地図情報に基づいて前記インターフェイスデータを特定することを特徴とする請求項１に記載の画像処理装置。
【請求項３】
前記記憶部はさらに、前記インターフェイスデータと撮像対象となる人物又は人物のグループとの対応関係を示す人物対応情報を記憶し、
前記撮像状況情報取得部は、撮像対象者又は撮像対象者のグループに関する対象者情報を取得し、
前記インターフェイス特定部は、前記対象者情報及び前記人物対応情報に基づいて前記インターフェイスデータを特定することを特徴とする請求項１または２に記載の画像処理装置。
【請求項４】
前記撮像状況情報取得部は、撮像画像データ内の物体の動きの量、音声、所定撮像対象の有無の少なくとも一つに関する情報を備えた画像解析情報を生成し、
前記インターフェイス特定部は、前記画像解析情報に基づいて、前記インターフェイスデータを特定することを特徴とする請求項１〜３のいずれか１項に記載の画像処理装置。
【請求項５】
画像処理装置が実行する画像処理方法であって、
撮像画像データを取得するステップと、
前記撮像画像データの撮像状況に関する情報として前記画像処理装置の位置情報を取得するステップと、
予め記憶された前記撮像画像データに付与するタグを入力するための一つ以上のインターフェイスデータの中から、過去の撮像地点の位置情報、前記撮像地点において使用した前記インターフェイスデータ、及び撮像日時を対応付けたデータ列を備えた履歴情報と、取得された前記位置情報とに基づいて、少なくとも一つのインターフェイスデータを特定するステップと、
前記特定されたインターフェイスデータからインターフェイス画像データを生成し、そのインターフェイス画像データと前記撮像画像データから表示用画像データを生成するステップとからなることを特徴とする画像処理方法。
【請求項６】
コンピュータに、
撮像画像データを取得するステップと、
前記撮像画像データの撮像状況に関する情報として前記コンピュータの位置情報を取得するステップと、
予め記憶された前記撮像画像データに付与するタグを入力するための一つ以上のインターフェイスデータの中から、過去の撮像地点の位置情報、前記撮像地点において使用した前記インターフェイスデータ、及び撮像日時を対応付けたデータ列を備えた履歴情報と、取得された前記位置情報とに基づいて、少なくとも一つのインターフェイスデータを特定するステップと、
前記特定されたインターフェイスデータからインターフェイス画像データを生成し、そのインターフェイス画像データと前記撮像画像データから表示用画像データを生成するステップとを実行させることを特徴とするプログラム。
【請求項７】
撮像画像データに付与するタグを指定させるための一つ以上のインターフェイスデータと、過去の撮像地点の位置情報、前記撮像地点において使用した前記インターフェイスデータ、及び撮像日時を対応付けたデータ列を備えた履歴情報とを記憶する記憶部と、
前記撮像画像データの撮像状況に関する情報として本画像処理装置の位置情報を取得する撮像状況情報取得部と、
前記撮像状況情報取得部が取得した前記位置情報と、前記履歴情報とに基づいて、前記記憶部が記憶したインターフェイスデータの中から少なくとも一つのインターフェイスデータを特定するインターフェイス特定部と、
前記インターフェイス特定部が特定したインターフェイスデータを出力する出力部とを有することを特徴とする画像処理装置。
【発明の詳細な説明】
【技術分野】
【０００１】
本発明は画像処理装置、画像処理方法、及びプログラムに関する。
【背景技術】
【０００２】
ビデオカメラ等の撮像装置を用いて動画や静止画を撮像する場合に、ユーザが自動ないし手動で撮像画像データに対して、その撮像画像を識別したり検索したりするためのタグ（例えば撮像場所、撮像者、又は被写体等の情報）を付与する技術が知られている。これらのタグを用いることにより、ユーザは、撮像された画像データの整理や検索を容易に行うことができる。
【０００３】
例えば、特許文献１には、撮像装置の位置と地図データから導出される周辺キーワードを、撮像中の画像フレームにタグとして付与する技術が開示されている。特許文献２には、表示画面上に人物アイコン列とタグに関するジャンル別アイコン列を表示し、アイコンを選択することにより撮像中の画像にタグを容易に付与できるデジタルスチルカメラを開示している。
【先行技術文献】
【特許文献】
【０００４】
【特許文献１】特開２０１０−２１６３８号公報
【特許文献２】特開２００７−２２８６０８号公報
【発明の概要】
【発明が解決しようとする課題】
【０００５】
しかし、上記特許文献１に記載の撮像装置、ないし上記特許文献２に記載のデジタルスチルカメラでは、ユーザが撮像の状況等に応じて、多種多様なタグの中から、その撮像の状況等に適したものを容易に選択し、撮像画像データに付与することができないという問題がある。例えば、撮像するスポーツの種類（野球、サッカー、又はバスケットボール等）に応じて、ユーザが付与したいと考えるタグの種類や内容は異なると考えられる。しかし、上記特許文献１に記載の撮像装置、ないし上記特許文献２に記載のデジタルスチルカメラでは、これらスポーツの種類に応じたタグを多種多様なタグの中から容易に選択し付与することができない。
【０００６】
本発明は、上述の課題に鑑みてなされたものであり、撮像状況に応じて撮像画像データにタグを入力するためのインターフェイス画像の変更を自動的に行うことができる画像処理装置、画像処理方法、及びプログラムを提供することを目的とする。
【課題を解決するための手段】
【０００７】
そこで、本発明は、撮像画像データを取得する撮像画像データ取得部（撮像部１００、通信Ｉ／Ｆ３１０、入出力Ｉ／Ｆ３０３）と、撮像画像データに付与するタグを指定させるための一つ以上のインターフェイスデータを記憶する記憶部（メインメモリ２０６または任意の記憶装置）と、前記撮像画像データの撮像状況に関する情報を取得する撮像状況情報取得部（４０１）と、前記撮像状況情報取得部（４０１）が取得した撮像状況に関する情報に基づいて、前記記憶部（メインメモリ２０６または任意の記憶装置）が記憶したインターフェイスデータの中から少なくとも一つのインターフェイスデータを特定するインターフェイス特定部（４０３）と、前記インターフェイス特定部（４０３）が特定したインターフェイスデータからインターフェイス画像データを生成し、そのインターフェイス画像データと前記撮像画像データから表示用画像データを生成する表示用画像生成部（４０４）とを備えることを特徴とする画像処理装置（撮像装置１）を提供する。
上記画像処理装置（撮像装置１）において、前記記憶部（メインメモリ２０６または任意の記憶装置）はさらに、前記インターフェイスデータと位置情報との対応関係を示す対応情報（位置−ＵＩ対応情報２０８）を記憶し、前記撮像状況情報取得部（４０１）は、前記撮像状況に関する情報として前記画像処理装置（撮像装置１）の位置情報を取得し、前記インターフェイス特定部（４０３）は、前記位置情報及び前記対応情報に基づいて前記インターフェイスデータを特定してもよい。
上記画像処理装置（撮像装置１）において、前記記憶部（メインメモリ２０６または任意の記憶装置）はさらに、施設情報とその施設の位置情報との対応関係を示す地図情報（２０９）を記憶し、前記インターフェイス特定部（４０３）はさらに、前記地図情報（２０９）に基づいて前記インターフェイスデータを特定してもよい。
上記画像処理装置（撮像装置１）において、前記記憶部（メインメモリ２０６または任意の記憶装置）はさらに、前記インターフェイスデータと撮像対象となる人物又は人物のグループとの対応関係を示す人物対応情報（グループＵＩ対応情報２１０）を記憶し、前記撮像状況情報取得部（４０１）は、撮像対象者又は撮像対象者のグループに関する対象者情報を取得し、前記インターフェイス特定部（４０３）は、前記対象者情報及び前記人物対応情報（グループ−ＵＩ対応情報２１０）に基づいて前記インターフェイスデータを特定してもよい。
上記画像処理装置（撮像装置１）において、前記対応情報（位置−ＵＩ対応情報２０８）は、過去の撮像地点、その過去の撮像地点において使用した前記インターフェイスデータ、及び撮像日時を対応付けたデータ列を備えた履歴情報であり、前記インターフェイス特定部（４０３）は、前記位置情報と、前記履歴情報とに基づいて前記インターフェイスデータを特定してもよい。
上記画像処理装置（撮像装置１）において、前記撮像状況情報取得部（４０１）は、撮像画像データ内の物体の動きの量、音声、所定撮像対象の有無の少なくとも一つに関する情報を備えた画像解析情報を生成し、前記インターフェイス特定部（４０３）は、前記画像解析情報に基づいて、前記インターフェイスデータを特定すればよい。
本願発明にかかる撮像方法の一態様は、撮像画像データを取得するステップと、前記撮像画像データの撮像状況に関する情報を取得するステップと、前記取得された撮像状況に関する情報に基づいて、予め記憶された前記撮像画像データに付与するタグを入力するための一つ以上のインターフェイスデータの中から少なくとも一つのインターフェイスデータを特定するステップと、前記特定されたインターフェイスデータからインターフェイス画像データを生成し、そのインターフェイス画像データと前記撮像画像データから表示用画像データを生成するステップとからなることを特徴とする。
本願発明にかかるプログラムの一態様は、コンピュータに、撮像画像データを取得するステップと、前記撮像画像データの撮像状況に関する情報を取得するステップと、前記取得された撮像状況に関する情報に基づいて、予め記憶された前記撮像画像データに付与するタグを入力するための一つ以上のインターフェイスデータの中から少なくとも一つのインターフェイスデータを特定するステップと、前記特定されたインターフェイスデータからインターフェイス画像データを生成し、そのインターフェイス画像データと前記撮像画像データから表示用画像データを生成するステップとを実行させることを特徴とする。
本願発明にかかる画像処理装置（撮像装置１）の一態様は、撮像画像データに付与するタグを指定させるための一つ以上のインターフェイスデータを記憶する記憶部（メインメモリ２０６または任意の記憶装置）と、前記撮像画像データの撮像状況に関する情報を取得する撮像状況情報取得部（４０１）と、前記撮像状況情報取得部（４０１）が取得した撮像状況に関する情報に基づいて、前記記憶部（メインメモリ２０６または任意の記憶装置）が記憶したインターフェイスデータの中から少なくとも一つのインターフェイスデータを特定するインターフェイス特定部（４０３）と、前記インターフェイス特定部（４０３）が特定したインターフェイスデータを出力する出力部（入出力Ｉ／Ｆ３０３、通信Ｉ／Ｆ３１０、または無線Ｉ／Ｆ３０８）とを有することを特徴とする。
【発明の効果】
【０００８】
本発明によれば、撮像状況に応じて撮像画像データにタグを入力するためのインターフェイス画像の変更を自動的に行うことができる画像処理装置、画像処理方法、及びプログラムを提供することができる。
【図面の簡単な説明】
【０００９】
【図１】本発明の実施の形態１にかかる撮像装置の外観構成を示す図である。
【図２】本発明の実施の形態１にかかる撮像装置の構成を示すブロック図である。
【図３】本発明の実施の形態１にかかる中央制御部の構成を示すブロック図である。
【図４】本発明の実施の形態１にかかる各インターフェイスの具体例を示す概念図である。
【図５】本発明の実施の形態１にかかる位置−ＵＩ対応情報の構成を示す概念図である。
【図６】本発明の実施の形態１にかかる表示用画像の具体例を示す概念図である。
【図７】本発明の実施の形態１にかかる撮像装置の動作を示すフローチャートである。
【図８】本発明の実施の形態２にかかる中央制御部の構成を示すブロック図である。
【図９】本発明の実施の形態２にかかるグループ−ＵＩ対応情報の具体例を示す概念図である。
【図１０】本発明の実施の形態２にかかる撮像装置の動作を示すフローチャートである。
【図１１】本発明の実施の形態３にかかる位置−ＵＩ対応情報の構成を示す概念図である。
【発明を実施するための形態】
【００１０】
＜実施の形態１＞
以下、図面を参照して本発明の実施の形態について説明する。図１は、本実施の形態にかかる撮像装置１の外観図である。撮像装置１は、スマートフォン等の携帯端末装置である。図１（ａ）は撮像装置１の正面図であり、図１（ｂ）は撮像装置１の背面図である。撮像装置１は、背面に画像を撮像するための撮像部１００を有し、静止画及び動画を撮像することができる。また、正面に撮像部１００が撮像した静止画及び動画を表示する表示部としての液晶モニタ３０４を有する。なお、本発明に係る撮像装置１は、静止画または動画像を撮像でき、表示部（たとえば液晶ディスプレイ）を有するものであれば、その形状、及び構成は特に限定されるものではない。すなわち、撮像装置１は、携帯端末装置に限らず、撮像部及び表示部を有する電子機器（たとえばデジタルビデオカメラ）であればよい。
【００１１】
次に、撮像装置１の構成について図１及び図２を参照して説明する。図２は、本実施の形態にかかる撮像装置１の内部構成を示すブロック図である。
【００１２】
中央制御部４００はＣＰＵ（Central Processing Unit）、各種プログラムが格納されたＲＯＭ（Read Only Memory）、及びワークエリアとしてのＲＡＭ（Random Access Memory）等を含む半導体集積回路により構成され、撮像、各種画像の表示、及びユーザが撮像画像データにタグを入力するために、撮像状況に応じて使用されるタグの種類等に対応したアイコン画像を適切に配置したＧＵＩ（Graphic User Interface）に係る画像（以下、「インターフェイス画像」という。）の特定等の撮像装置１全体の処理を統括的に制御する。中央制御部４００の内部構成は、図３を参照して後述する。
【００１３】
撮像装置１は、ズームレンズ１０１、フォーカスレンズ１０２、絞り１０３、及び撮像素子１０４で構成される撮像部１００を有する。ズームレンズ１０１は図示しないズームアクチュエータによって光軸ＬＡに沿って移動する。同様に、フォーカスレンズ１０２は、図示しないフォーカスアクチュエータによって光軸ＬＡに沿って移動する。絞り１０３は、図示しない絞りアクチュエータに駆動されて動作する。撮像素子１０４は、ＣＣＤ（Charge Coupled Device）やＣＭＯＳ（Complementary Metal Oxide Semiconductor）等で構成される。
【００１４】
撮像部１００を用いた撮像は以下の手順で行われる。撮像素子１０４はズームレンズ１０１、フォーカスレンズ１０２、及び絞り１０３を通過した光を光電変換して、被写体のアナログ画像信号を生成する。
アナログ画像信号処理部１０５が、このアナログ画像信号を増幅した後、画像Ａ／Ｄ変換部１０６が、その増幅された信号をデジタル画像データに変換する。画像入力コントローラ１０７は、画像Ａ／Ｄ変換部１０６から出力されたデジタル画像データを撮像画像データとして取り込んで、バス２００を介してメインメモリ２０６に格納する。
【００１５】
デジタル信号処理部１０８は、バス２００を介して中央制御部４００からの指令に基づき、メインメモリ２０６に格納された撮像画像データを取り込み、所定の信号処理を施して輝度信号と色差信号とからなるデータを生成する。デジタル信号処理部１０８はまた、オフセット処理、ホワイトバランス調整処理、ガンマ補正処理、ＲＧＢ補完処理、ノイズ低減処理、輪郭補正処理、色調補正処理、光源種別判定処理等の各種デジタル補正を行う。
【００１６】
マイク１０９は撮像時の周囲の音声を周音し、アナログ音声信号を生成する。アナログ音声信号処理部１１０がそのアナログ音声信号を増幅した後、音声Ａ／Ｄ変換部１１１が、その増幅された信号をデジタル音声データに変換する。音声入力コントローラ１１２は、音声Ａ／Ｄ変換部１１１から出力されたデジタル音声データを撮像画像データと併せてメインメモリ２０６に格納する。
【００１７】
多重化部１１３は、メインメモリ２０６に格納された撮像画像データ及びデジタル音声データを多重化しストリームデータを生成する。
【００１８】
圧縮・伸長処理部２０１は、バス２００を介して中央制御部４００からの指示に従い、メインメモリ２０６に格納されたストリームデータに所定の圧縮処理を施し、圧縮データを生成する。また、中央制御部４００からの指令に従い、メインメモリ２０６等に格納された圧縮データに所定形式の伸張処理を施し、非圧縮データを生成する。
なお、本実施の形態の撮像装置１では、静止画像に対してはＪＰＥＧ規格に準拠した圧縮方式が、動画像に対してはＭＰＥＧ２規格やＡＶＣ／Ｈ．２６４規格に準拠した圧縮方式が採用される。
【００１９】
音声・画像処理部２０２は、バス２００を介して中央制御部４００の指示に従い、メインメモリ２０６から読み出したデジタルデータに所定の画像処理を施す。例えばメニュー画像やＯＳＤ画像等、各種処理のための画像データを生成し、その画像データをメインメモリ２０６から読み出されたオリジナルの撮像画像データに重畳させて液晶モニタ３０４に出力する。この出力によって、液晶モニタ３０４に表示される画像は各種画像データが合成ないし重畳されたものとなる。また、この音声・画像処理部２０２が、液晶モニタ３０４に表示する撮像画像にインターフェイス画像を重畳ないし合成して表示する。詳細は後述する。なお、液晶モニタ３０４の代わりに有機ＥＬ（Electro - Luminescence）モニタ等の他のモニタを用いることも可能である。
【００２０】
ＲＯＭ２０３はバス２００を介して中央制御部４００に接続されており、中央制御部４００が実行する制御プログラム及び制御に必要な各種データ等を格納している。フラッシュＲＯＭ２０４は、ユーザの設定情報等、撮像装置１の動作に関する各種設定情報を格納している。
【００２１】
ＶＲＡＭ２０５は、表示用の画像データの一時記憶領域として使用される。メインメモリ２０６は、各種画像データの一時記憶領域として使用されるとともに、中央制御部４００の演算作業領域としても使用される。
【００２２】
ジャイロセンサ２１１は、３軸の加速度及び角速度の変化を検出する。そして、ジャイロセンサ２１１の検出結果に応じて、液晶モニタ３０４の表示向きを変える。時計２１２は、撮像画像データの取得日時の情報を生成し、生成された情報はタグとして利用される場合もある。
【００２３】
液晶モニタ３０４、スピーカ３０５、操作部３０６及び入出力端子３０７は入出力Ｉ／Ｆ３０３に接続されている。液晶モニタ３０４は、例えばＶＲＡＭ２０５やメインメモリ２０６に一時記録された撮像画像データ、又はインターフェイス画像データや各種メニュー画像データ等、各種画像データから生成された画像を表示する。ここで、液晶モニタ３０４に出力される撮像画像データは、ユーザが操作部３０６の図示しない録画ボタンをONにしてカード型記録媒体等の図示しない記録媒体に記録するものだけでなく、ユーザが撮像する内容を確認するために液晶モニタ３０４に表示される、いわゆるスルー画像に係るデータも含まれるのは勿論である。スピーカ３０５は、例えばメインメモリ２０６に一時記録された音声を出力する。操作部３０６は、操作ボタン、又は液晶モニタ３０４上に設けられたタッチパネル等から構成されており、ユーザの撮像装置１への操作入力を受け付ける。入出力端子３０７は、図示しないテレビモニタやＰＣ（Personal Computer）等に接続される。
【００２４】
無線モジュール３０９は、バス２００及び無線Ｉ／Ｆ３０８を介して、各データを他の装置との間で送受信する。各種情報及び撮像画像データ等の無線通信はＩＥＥＥ８０２．１１規格に準拠した方式で行われる。より具体的には、無線モジュール３０９は、Ｗｉ−Ｆｉ等の無線ＬＡＮ規格に準拠した通信処理を行う。
【００２５】
通信モジュール３１１は、バス２００及び通信Ｉ／Ｆ３１０を介して、他の通信端末とのメールの送受信、インターネット接続などを行う。これらの無線通信は、例えば、Ｗ−ＣＤＭＡやＣＤＭＡ２０００等の通信規格に準拠した方式で行われる。これにより、基地局との通信が可能になる。もちろん、通信モジュール３１１での通信による通信規格は特に限定されるものではない。通信モジュール３１１は、無線モジュール３０９と異なる通信方式で無線通信を行う。
【００２６】
続いて、中央制御部４００の内部構成、及び関連構成について図３を参照して説明する。なお、図３では、バス２００、入出力Ｉ／Ｆ３０３等の記載は適宜省略している。中央制御部４００は、撮像状況情報取得部４０１と、インターフェイス特定部４０３と、表示用画像生成部４０４とを備える。
【００２７】
撮像状況情報取得部４０１は、撮像装置１の撮像の状況に関する情報を取得する。ここで、撮像状況とは、撮像位置、撮像時間、撮像者、撮像対象者（被写体）及びその人数、撮像時の天候、撮像している画像（静止画、動画）の解析状態（たとえば動きの大きい対象物を撮像している等）等を含む概念である。本実施の形態においては、撮像状況情報取得部４０１が、撮像状況として撮像位置に関する情報を取得する場合を例にあげて説明する。
【００２８】
撮像状況情報取得部４０１は、位置情報取得部４０２を備える。位置情報取得部４０２は、撮像装置１の存在する現在位置を取得する。例えば、位置情報取得部４０２は、ＧＰＳ（Global Positioning System）機能を有する処理部である。位置情報取得部４０２は、撮像開始時等の際に、現在位置の情報を取得し、取得した現在位置をインターフェイス特定部４０３に供給する。
【００２９】
メインメモリ２０６には、タグを入力するためのインターフェイスに関する情報（以下、「インターフェイスデータ」という。）が予め複数記憶されており、インターフェイス特定部４０３は、予め記憶されている複数のインターフェイスデータの中から、撮像状況情報取得部４０１が取得した撮像の状況に関する情報に適したインターフェイスデータを選択し特定する。なお、メインメモリ２０６に予め記憶されているインターフェイスデータが一つであった場合は、撮像撮像状況情報取得部４０１が取得した撮像の状況に関する情報に適していれば、その記憶されているインターフェイスデータが特定されることになる。
【００３０】
表示画像生成部４０４は、特定されたインターフェイスデータに係るインターフェイス画像データを生成する。そして、インターフェイス画像が、液晶モニタ３０４上に撮像画像データと共に表示される。
【００３１】
ここで、タグとは、画像の識別、又は検索に用いる情報である。例えば、野球に関する動画像に対するタグとして、開催場所、スコア情報、対戦相手情報、開催日時、大会名等の情報が挙げられる。
【００３２】
撮像装置１は、タグの種類及び内容について、予め作成されているものを使用することもできるし、ユーザが別途作成したものを使用することもできる。例えば、野球に関するタグとして、「ストライク」、「ボール」、「アウト」、或は「チェンジ」といった審判による宣告、「Ｎ回の表裏」というイニング、又は「１点毎に加算される」という得点形式等、野球に共通して使用される情報は予め作成されたタグとして使用される。一方、大会の名称や自他チーム名称等はユーザが別途作成するタグとして使用される。同様に、例えばバスケットボールに関するタグでは、「ファウル」や「バイオレーション」等の審判による宣告、「第１〜第４」というピリオド、又は「１〜３点毎に加算される」という得点形式等、バスケットボールに共通して使用される情報は予め作成されたタグとして使用され、大会の名称や自他チーム名称等はユーザが別途作成するタグとして使用される。
【００３３】
タグの種類及び内容は、例えば予めメインメモリ２０６内に格納されていてもよく、図示しないサーバや撮像装置１に着脱可能な任意の記憶装置（いわゆるＵＳＢメモリ等）から取得しても良い。中央制御部４００内の各処理部は、必要に応じてこのタグの種類や内容を適宜取得する。撮像装置１のユーザは、動画像の撮像中にこれらのタグを適宜入力する。そして撮像終了後に、付与されたタグを用いて撮像画像データを識別ないし検索することにより、撮像画像データを整理したり、所望の場面の再生や編集をすることができる。なお、タグは、静止画にも付与できる。
【００３４】
インターフェイスデータは、格納されたタグの中から、関連するタグを特定する情報等で構成されており、メインメモリ２０６に記憶されている。
【００３５】
インターフェイス特定部４０３は、予め生成され記憶されているＵＩ管理情報２０７、位置−ＵＩ対応情報２０８、及び地図情報２０９、をメインメモリ２０６から読み出す。ＵＩ管理情報２０７は、記憶されている一つ以上のインターフェイスデータについて、インターフェイスデータ毎に関連づけられた識別子や用途（たとえば、「野球」、「サッカー」、「バスケットボール」等）からなる管理情報である。インターフェイスデータ、インターフェイスデータに係るインターフェイス画像、及びＵＩ管理情報の例を図４に示す。
【００３６】
図４（Ａ）は、バスケットボールの撮像中にタグを入力するためのインターフェイスデータに基づいて生成されるインターフェイス画像（識別子＝"バスケットボールＵＩ"）である。図示するように、当該インターフェイス画像は、タグとしてチーム名の情報や得点経過等を入力できる構成である。同様に、図４（Ｂ）は、サッカーの撮像中にタグを入力するためのインターフェイスデータに基づいて生成されるインターフェイス画像（識別子＝"サッカーＵＩ"）である。
【００３７】
なお、同一スポーツに対して、異なる種類及び内容のタグを付与するために、複数のインターフェイスデータが用意されていても良い。例えば、試合用のインターフェイスデータと、練習用のインターフェイスデータ（例えば練習メニューをタグとして入力可能なインターフェイスデータ）が別の構成となっていても良い。さらに、スポーツに限らず、演劇や音楽コンサートの撮像用のインターフェイスデータ等が存在しても良いことは勿論である。
【００３８】
位置−ＵＩ対応情報２０８は、位置情報と、液晶モニタ３０４に表示されるインターフェイス画像に係るインターフェイスデータと関連付けられたＵＩ管理情報との対応関係を示す情報である。図５は、位置−ＵＩ対応情報２０８の構成を示す図である。図５の例では、Ａ野球場（緯度３５．ＸＸ、経度１３９．ＸＸ）では識別子「野球ＵＩ」のインターフェイスを使うこと、Ｂ体育館（緯度３６．ＹＹ、経度１３９．ＹＹ）では識別子「バスケットボールＵＩ」のインターフェイスを使うことが規定されている。
【００３９】
ユーザが位置−ＵＩ対応情報２０８内の対応関係を手動で設定しても良く、ネットワーク上からダウンロードした情報であっても良い。または、ユーザがインターフェイスの選択画面から手動で選択したインターフェイスデータと、その選択操作を行ったときの位置の情報と、が位置−ＵＩ対応情報２０８に逐次反映される構成であっても良い。説明及び理解の容易のため、本実施の形態では、位置−ＵＩ対応情報２０８における位置と、インターフェイスデータとは、一対一で対応付けられているものとする。
【００４０】
地図情報２０９は、位置情報とその位置にある施設（たとえばスポーツ施設）との関係を示す情報である。なお、地図情報２０９は、予めメインメモリ２０６内に備えられている必要はなく、ネットワーク上の任意のサーバからダウンロードしても良い。
【００４１】
インターフェイス特定部４０３は、現在位置の情報を基に、表示すべきインターフェイスデータを選択して特定する。詳細には、インターフェイス特定部４０３は、ＵＩ管理情報２０７及び位置−ＵＩ対応情報２０８に基づいて、現在位置に対応するインターフェイスデータが設定されているかを検索する。対応するインターフェイスデータがある場合、インターフェイス特定部４０３は、当該インターフェイスデータを表示画像生成部４０４に通知する対象として特定する。対応するインターフェイスデータが無い場合、インターフェイス特定部４０３は、地図情報２０９内に現在位置に対応する施設があるかを検索する。対応する施設がある場合、インターフェイス特定部４０３は、施設の用途から表示すべきインターフェイスデータを特定する。例えば、インターフェイス特定部４０３は、地図情報２０９の検索により現在位置がサッカー場と把握できた場合、用途がサッカーであり、サッカーの識別子と関連付けられたインターフェイスデータを表示画像生成部４０４に通知する。対応する施設が無い場合やインターフェイスデータを一意（一つ）に決められない場合、インターフェイス特定部４０３は、インターフェイスデータとして無効な値（無効値）を表示画像生成部４０４に通知する。
【００４２】
なお、インターフェイス特定部４０３は、現在位置との比較処理において、一定程度の物理的位置の近さが認められる場合には位置が対応すると判定しても良い。例えば、同じサッカー場のメインスタンドとバックスタンド程度の距離の違いであれば同一地点と判定しても良い。
【００４３】
表示画像特定部４０４には、撮像画像データ（静止画、または動画）、及びインターフェイス特定部４０３からのインターフェイスデータが入力される。表示画像生成部４０４は、通知されたインターフェイスデータを基に、表示されるアイコン画像に係るアイコン画像データや表示されるアイコン画像の配列に関するデータから構成されるインターフェイス画像データを生成する。そして、表示画像生成部４０４は、撮像画像データとインターフェイス画像データを合成した表示用画像データを生成する。
【００４４】
なお、インターフェイスデータとして無効値が通知された場合、表示画像生成部４０４は、液晶モニタ３０４に撮像画像のみを表示させる。または、表示画像生成部４０４は、ユーザにインターフェイスの選択を促す画面を液晶モニタ３０４に表示する。ユーザがインターフェイスを選択した場合、現在位置の情報を撮像状況情報取得部４０１から取得し、現在位置と選択されたインターフェイスデータのＵＩ管理情報との組を位置−ＵＩ対応情報２０８の新規データとして登録すればよい。
【００４５】
表示画像生成部４０４が生成した表示用画像データは、入出力Ｉ／Ｆ３０３から液晶モニタ３０４に出力される。液晶モニタ３０４は、供給された表示用画像データに係る表示用画像を表示する。図６は、液晶モニタ３０４に表示された表示用画像の一例を示す図である。図６に示すように、液晶モニタ３０４には、現在撮像中の撮像画像と関連するインターフェイス画像を合成した表示用画像が表示される。ユーザは撮像画像エリアに表示される撮像画像を確認しながら、タグ入力用インターフェースエリアに表示されるインターフェイス画像を使用して撮像画像データにタグを適宜付与する。例えば、ユーザがヒットボタン５０１をタッチすると、その時刻情報と「ヒット」というタグが関連付けられてメインメモリ２０６（または任意の記憶装置）に保存される。アウトボタン５０２、フォアボールボタン５０３、チェンジボタン５０４についても同様である。同様に、得点が入った場合には得点ボタン５０５〜５０８をタッチする（たとえば満塁ホームランを打った場合には４得点を示す得点ボタン５０８をタッチする）ことにより、その時刻と得点経過がメインメモリ２０６（または任意の記憶装置）に保存される。なお、インターフェイス画像は、液晶モニタ３０４の表示画面中の下部に表示される必要はなく、任意の位置、及び大きさに配置することが可能である。また、メニュー画像等の他の画像も併せて表示されても良い。
【００４６】
続いて、図７に示すフローチャートを参照して、本実施の形態にかかる撮像装置１による、撮像状況に応じて撮像画像にタグを入力するためのインターフェイス画像の設定動作について説明する。はじめに、撮像開始等のタイミングにおいて、位置情報取得部４０２は、現在位置の情報を取得し、撮像状況に係る情報として当該現在位置の情報をインターフェイス特定部４０３に供給する（Ｓ１１）。
【００４７】
インターフェイス特定部４０３は、現在位置の情報、位置−ＵＩ対応情報２０８、地図情報２０９を基に表示すべきインターフェイス画像に係るインターフェイスデータを特定し、特定したインターフェイスデータを表示画像生成部４０４に通知する（Ｓ１２）。インターフェイス特定部４０３は、インターフェイスデータを一つに特定できない場合、インターフェイスデータとして無効な値を表示画像生成部４０４に通知する（Ｓ１２）。
【００４８】
表示画像生成部４０４は、インターフェイスデータが無効値であるか否かを判定する（Ｓ１３）。無効値ではない場合（Ｓ１３：Ｎｏ）、表示画像生成部４０４は、インターフェイスデータに対応するインターフェイス画像データと、撮像画像データと、を合成した表示用画像データを生成し、当該表示用画像データを液晶モニタ３０４に供給する（Ｓ１４）。液晶モニタ３０４は、表示用画像を表示する。一方、通知されたインターフェイスデータが無効値である場合（Ｓ１３：Ｙｅｓ）、表示画像生成部４０４は、撮像画像データのみを液晶モニタ３０４に供給する。液晶モニタ３０４は撮像画像をそのまま表示する（Ｓ１５）。なお、Ｓ１５において、表示画像生成部４０４は、インターフェイスの選択画面データを生成し、生成した選択画面データに係る選択画面を液晶モニタ３０４に表示させても良い。
【００４９】
本実施の形態にかかる撮像装置１は、撮像状況に応じてインターフェイスを自動的に選択し、撮像画像と選択されたインターフェイスデータを基に作成されたインターフェイス画像を合成した表示用画像を液晶モニタ３０４に表示している。つまり、ユーザが撮像状況を変更して撮像操作を行う場合であっても、ユーザ自身がインターフェイスの選択を行うことなく、適切なインターフェイスが表示された表示用画像を用いて撮像及びタグ入力処理を行うことができる。インターフェイスが撮像状況に応じて自動的に選択されるため、ユーザがインターフェイスを選択する手間を省くことができる。
【００５０】
本実施の形態では、撮像状況として撮像位置の情報を取得し、当該位置に応じてインターフェイスを選択している。一般に、撮像位置が定まると、撮像対象も定まることが多い。インターフェイス特定部４０３は、位置とインターフェイスの関係を規定した位置−ＵＩ対応情報２０８を参照し、現在位置に最適なインターフェイスを選択するため、精度良くインターフェイスを選択することができる。
【００５１】
さらに、インターフェイス特定部４０３は、現在位置に対応するインターフェイスが位置−ＵＩ対応情報２０８内に規定されていない場合であっても、地図情報２０９を参照して現在位置に対応するインターフェイスを選択できる。これにより、ユーザが普段撮像を行わないような場所（たとえば遠方地のスポーツ競技場）で撮像を行った場合であっても、適切なインターフェイスを選択することができる。
【００５２】
なお、説明及び理解の容易のため、上述の実施の形態では、位置−ＵＩ対応情報２０８における位置情報と、インターフェイスデータとは、一対一で対応付けられており、インターフェイス特定部４０３は、一つのインターフェイスデータを特定する場合について述べたが、インターフェイス特定部４０３は一つの位置情報から複数のインターフェイスデータを特定することもできる。
【００５３】
この場合は、位置−ＵＩ対応情報２０８において位置情報と、インターフェイスデータとが一対多で関連付けられたテーブルを記録する等し、特定された複数のインターフェイスデータについて、ユーザが事前に設定した優先順位に基づいて最終的に使用するものを選ぶことができる、或は出力されるインターフェイス画像データの表示サイズを小さくする等により特定されたものに係るインターフェイス画像を複数表示する等の処理をすることになる。
【００５４】
＜実施の形態２＞
次に、本発明の実施の形態２について説明する。本実施の形態においては、撮像対象者（被写体）や撮像対象者のグループ構成に応じて、適切なインターフェイスを選択することを特徴とする。
【００５５】
本実施の形態にかかる撮像装置の構成は、図２に示す実施の形態１の構成と同様であるが、撮像対象となる人物又は人物のグループ（以下、単に「撮像対象グループ」と言う。なお、撮像対象グループは、一人の人物から構成されても良い。）に関する情報を撮像の状況に関する情報として使用する点で異なる。図８は、本実施の形態にかかる中央制御部４００の構成（及びその周辺構成）を示すブロック図である。
【００５６】
撮像状況情報取得部４０１は、グループ情報取得部４０５を備える。メインメモリ２０６は、ＵＩ管理情報２０７及びグループ対応情報２１０を記憶する。
【００５７】
グループ情報取得部４０５は、例えば以下の手法により、撮像対象者のグループに関する情報（以下、単に「対象者情報」という。）を取得する。グループ情報取得部４０５は、取得した対象者情報をインターフェイス特定部４０３に供給する。
【００５８】
例えば、各ユーザの保持する撮像装置１は、図示しないサーバに「地点Ｘで撮像を開始する」、「これからＡさん、Ｂさんを撮像する」等を適宜通知する。サーバは、各撮像装置１から送信された情報を集計し、各撮像装置１に対してこれから撮像を行うグループの情報を送信する。グループ情報取得部４０５は、この情報に基づいて対象者情報を取得する。例えば、Ａさん、Ｂさん、Ｃさんがそれぞれの撮像装置１から「地点Ｘで撮像を開始する」ことをサーバに個別に通知した場合、サーバはそれぞれの撮像装置１に対して「Ａさん、Ｂさん、Ｃさん」という撮像対象グループが撮像を開始することを通知する。また、Ａさん、Ｂさん、Ｃさんがそれぞれの撮像装置１から「Ｙ競技大会で撮像を開始する」ことをサーバに個別に通知した場合、サーバはそれぞれの撮像装置１に対して「Ａさん、Ｂさん、Ｃさん」という撮像対象グループが撮像を開始することを通知する。
【００５９】
または、ユーザは、液晶パネル３０４に一般的なアドレス帳インターフェイス画像を表示させ、撮像対象となるユーザを適宜選択することもできる。グループ情報取得部４０５は、このアドレス帳インターフェイス画像の操作により選択されたユーザを対象者情報として取得する。なお、上述の撮像対象グループの特定方法はあくまで一例であり、その他の任意の手法を用いて撮像対象グループを特定し、対象者情報を取得しても良い。
【００６０】
次に、グループ−ＵＩ対応情報２１０について説明する。グループ−ＵＩ対応情報２１０は、撮像対象となる人物又は人物のグループと、表示するインターフェイス画像に係るインターフェイスデータと関連付けられたＵＩ管理情報との対応関係を示す人物対応情報である。図９（Ａ）は、グループ情報２１０の一例を示す図である。図９（Ａ）では、"Ａさん、Ｂさん"が撮像対象となる人物のグループである場合には「テニスＵＩ」を使用すること、"Ｂさん"が撮像対象となる人物のグループである場合には「バイクＵＩ」を使用すること等が規定されている。
【００６１】
グループ−ＵＩ対応情報２１０には、グループに関する詳細な対応関係が規定されていても良い。図９（Ｂ）に一例を示す。図９（Ｂ）では、「撮像対象者がＡさん、Ｂさんを含むグループである場合、テニスＵＩを使用する」、「撮像対象者がＢさんのみである場合、バイクＵＩを使用する」、「撮像対象者がＣさん、Ｄさん、Ｅさん、Ｆさん、Ｇさん、Ｈさんの一部を含み、かつ全体で１０人未満の場合、フットサルＵＩを使用する」、「撮像対象者がＣさん、Ｄさん、Ｅさん、Ｆさん、Ｇさん、Ｈさんの一部を含み、かつ全体で１０人以上の場合、サッカーＵＩを使用する」、といった対応関係が規定されている。なお、グループ情報２１０は、ユーザが適宜作成ないし編集可能な構成であっても良い。
【００６２】
図８を再び参照し、インターフェイス特定部４０３の動作について説明する。インターフェイス特定部４０３には、グループ情報取得部４０５から対象者情報が入力される。インターフェイス特定部４０３は、メインメモリ２０６からグループ−ＵＩ対応情報２１０を読み出す。インターフェイス特定部４０３は、対象者情報と、グループ−ＵＩ対応情報２１０との比較に応じてインターフェイスデータを特定する。インターフェイス特定部４０３は、選択したインターフェイスデータを表示画像生成部４０４に通知する。撮像対象グループと対応するインターフェイスデータがグループ−ＵＩ対応情報２１０内に規定されていない場合、インターフェイス特定部４０３は、インターフェイスデータとして無効な値を表示画像生成部４０４に通知する。
【００６３】
続いて、図１０に示すフローチャートを参照して、本実施の形態にかかる撮像装置１による、撮像状況に応じて撮像画像にタグを入力するためのインターフェイス画像の設定動作について説明する。はじめに、グループ情報取得部４０５は、対象者情報を取得し、取得した対象者情報をインターフェイス特定部４０３に供給する（Ｓ２１）。
【００６４】
インターフェイス特定部４０３は、対象者情報、ＵＩ管理情報２０７、及びグループ−ＵＩ対応情報２１０を基に表示すべきインターフェイスデータを特定し、特定したインターフェイスデータを表示画像生成部４０４に通知する（Ｓ２２）。インターフェイス特定部４０３は、インターフェイスデータを一つに特定できない場合、インターフェイスデータとして無効な値を表示画像生成部４０４に通知する（Ｓ２２）。
【００６５】
以降の処理（Ｓ１３〜Ｓ１５）は、図７のＳ１３〜Ｓ１５と略同一であるため、詳細な説明は省略する。なお、上述の例では、撮像の状況に関する情報として撮像対象グループに関する情報のみを使用する場合を説明したが、上述の位置情報を併せて使用してもよい。この場合、Ｓ２２の処理においてインターフェイスデータを一つに特定できない場合、インターフェイス特定部４０３は、現在位置、ＵＩ管理情報２０７、位置−ＵＩ対応情報２０８、及び地図情報２０９を基に表示すべきインターフェイス画像データを特定しても良い。
【００６６】
さらに、撮像状況情報取得部４０１内に位置情報取得部４０２が存在する構成である場合、グループ情報２１０において、位置情報と対象者情報の双方を考慮した対応付けを行っても良い。例えば、図９（Ｃ）に示すように、「撮像対象者がＩさん、Ｊさん、Ｋさん、Ｌさん、Ｍさん、Ｎさんの一部を含み、かつ地点Ｃで撮像する場合、フットサルＵＩを使用する」、「撮像対象者がＩさん、Ｊさん、Ｋさん、Ｌさん、Ｍさん、Ｎさんの一部を含み、かつ地点Ｄで撮像する場合、ビーチサッカーＵＩを使用する」といったように、位置情報と対象者情報の双方を考慮した対応関係が規定されても良い。
【００６７】
また、撮像装置１は、撮像処理の終了後に、撮像対象グループに含まれる各ユーザの撮像装置（または画像表示装置）に対して、タグ付与済みの撮像画像データを電子メールに添付して自動的に送信しても良い。これにより、タグが入力された画像を共有することができる。
【００６８】
本実施の形態においては、撮像対象グループのメンバーを考慮し、当該メンバーに応じたインターフェイスを選択する。これにより、所定のグループの行動に最適なインターフェイスを自動的に選択することができる。さらに、図９（Ｂ）に示すように、撮像対象グループとインターフェイスとの対応関係は、グループメンバーの一部一致（たとえば「Ｃ〜Ｈさんの一部を含む」）も考慮して設定することができる。そのため、いつものメンバーに新しいメンバーを誘ってスポーツを楽しむような場合であっても、適切なインターフェイスを自動的に選択することができる。
【００６９】
なお、説明及び理解の容易のため、上述の実施の形態では、グループ−ＵＩ対応情報２１０における対象者情報と、インターフェイスデータとは、一対一で対応付けられており、インターフェイス特定部４０３は、一つのインターフェイスデータを特定する場合について述べたが、インターフェイス特定部４０３は一つの対象者情報から複数のインターフェイスデータを特定することもできる。
【００７０】
この場合は、グループ−ＵＩ対応情報２１０において、対象者情報と、インターフェイスデータとが一対多で関連付けられたテーブルを記録する等し、特定された複数のインターフェイスデータについて、ユーザが事前に設定した優先順位に基づいて最終的に使用するものを選ぶことができる、或は出力されるインターフェイス画像データの表示サイズを小さくする等により特定されたものに係るインターフェイス画像を複数表示する等の処理をすることになる。
【００７１】
＜実施の形態３＞
次に、本発明の実施の形態３について説明する。実施の形態３に係る撮像装置１は、インターフェイスの使用履歴を基に、最適なインターフェイスを選択することを特徴とする。本実施の形態にかかる撮像装置１の構成は、図２、図３に示す構成と略同一であるであるため、重複箇所については適宜説明を省略する。
【００７２】
図１１は、本実施の形態にかかる位置−ＵＩ対応情報２０８の構成を示す図である。上述のように、位置−ＵＩ対応情報２０８は、位置情報とインターフェイスデータとの対応関係を示す情報である。本実施の形態では、位置−ＵＩ対応情報２０８は、当該対応関係がインターフェイスの使用履歴から構成される。この際、位置−ＵＩ対応情報２０８には、撮像日時も併せて登録される。すなわち、位置−ＵＩ対応情報２０８は、図１１に示すように、撮像地点と、当該撮像地点で使用したインターフェイスと、撮像日時と、が対応付けられたデータ列から構成される履歴情報である。
【００７３】
ユーザがタグ入力用のインターフェイスを使用して撮像する度に、位置−ＵＩ対応情報２０８に新たなデータ列が追加される。たとえば、２０１１年４月９日（日）１８時からの「緯度３５．ＸＸ，経度１３９．ＸＸ」（以下、地点Ａとも記載する）での撮像に「野球ＵＩ」を使った場合、その使用履歴がデータ列として追加される。そのため、同一位置（たとえば地点Ａ）に対して異なるインターフェイス（「野球ＵＩ」、「野球練習ＵＩ」等）が対応付けられている場合（一対多対応である場合）がある。
【００７４】
インターフェイス特定部４０３は、位置−ＵＩ対応情報２０８内に、現在位置と対応するデータがあるか否かを判定する。現在位置と対応するデータ列がない場合、インターフェイス特定部４０３は、実施の形態１と同様にインターフェイスデータとして無効な値を表示画像生成部４０４に通知する。現在位置と対応するデータ列が１つだけある場合、インターフェイス特定部４０３は、実施の形態１と同様に、当該データ列のインターフェイスデータを表示画像生成部４０４に通知する。
【００７５】
現在位置と対応するデータ列が複数ある場合、インターフェイス特定部４０３は、複数のデータ列を解析し、解析結果に応じて表示画像生成部４０４に通知するインターフェイスデータを一つに特定する。以下、データ解析例を説明する。
【００７６】
第１の例として、インターフェイス特定部４０３は、使用日時が最も新しいインターフェイスデータを特定すればよい。図１１の例では、インターフェイス特定部４０３は、地点Ａに対応するインターフェイスデータとして「野球ＵＩ」に係るデータを特定する（２０１１年４月９日（日）の使用が最新であるため）。
【００７７】
第２の例として、インターフェイス特定部４０３は、現在位置について最も頻繁に使用しているインターフェイスを特定すればよい。図１１の例では、インターフェイス特定部４０３は、地点Ａに対応するインターフェイスデータとして「野球練習ＵＩ」に係るデータを特定する。
【００７８】
また、インターフェイス特定部４０３は、日時（日付、曜日、時間帯等）の規則性を検出し、検出した規則性に応じてインターフェイスデータを特定してもよい。たとえば、インターフェイス特定部４０３は、現在位置におけるインターフェイスの使用パターンを解析する。図１１の例では、地点Ａでは平日（月曜日〜金曜日）には「野球練習ＵＩ」が使用され、土曜日には「野球練習試合ＵＩ」が使用され、日曜日には「野球ＵＩ」が使用されている。インターフェイス特定部４０３は、日時（日付、曜日、時間帯等）を考慮した解析結果と、現在日時を比較し、比較結果に応じて最適なインターフェイスデータを特定する。たとえば、撮像を開始する際の日時が日曜日である場合、インターフェイス特定部４０３は、地点Ａに対応するインターフェイスデータとして「野球ＵＩ」に係るデータを選択する。
【００７９】
なお、処理の流れは、図７に示すフローチャートと同様であるため、その詳細な説明は省略する（図７Ｓ１２におけるインターフェイス特定部４０３の選択処理の詳細が異なる）。
【００８０】
本実施の形態においては、以前のインターフェイスの使用履歴を参照し、使用履歴の解析結果を基にインターフェイスを選択している。実際のユーザの使用パターンに応じたインターフェイスの選択ができるため、ユーザにとって使用したいインターフェイスを精度よく選択することができる。
【００８１】
特に、ユーザは、日時（日付、曜日、時間帯等）に応じて定期的な行動を行うケースが多い。本実施の形態では、日時（日付、曜日、時間帯等）を基にユーザが規則的な撮像を行っているかを解析することにより、ユーザの行動に即したインターフェイスの選択を精度よく行うことができる。
【００８２】
＜その他の実施例＞
撮像状況情報取得部４０１は、撮像中の画像を解析し、当該解析結果に応じてインターフェイス特定部４０３がインターフェイスデータを特定する構成であっても良い。以下、具体例を示す。
【００８３】
撮像状況情報取得部４０１には、メインメモリ２０６から撮像画像データ（動画像）が供給される。撮像状況情報取得部４０１は、位置情報取得部４０２等に加えて、供給された動画像内の撮像対象物、撮像対象物の動きの量、音声等を解析する画像解析部を備える構成であっても良い。例えば、画像解析部は、メインメモリ２０６内に保存されているテニスラケットやテニスボールの画像を読み出し、動画像内に一致する対象物があるか否か（すなわち、テニスラケット、テニスボールがあるか否か）を判定する。テニスボールやテニスを検出した場合、インターフェイス特定部４０３は、テニスに関するインターフェイスデータを特定すればよい。
【００８４】
同様に、画像解析部は、動画像の音声内に、ある特定のスポーツ（または演劇）に関連するワード（サッカーであれば、「オフサイド」、「センタリング」、「スライディング」、「ボレーシュート」等）が検出されたか否かを解析する。関連ワードが検出されたか否かを示す解析結果に応じて、インターフェイス特定部４０３は、インターフェイスデータを特定してもよい。
【００８５】
さらに、画像解析部は、動画像内の撮像対象物の動きの量を検出し、動きの量が大きいか否かを判定する。インターフェイス特定部４０３は、撮像対象物の動きの量が大きい動画像を撮像している場合、頻繁に使用するスポーツに関するインターフェイスデータを特定し、撮像対象物の動きが小さい動画像を撮像している場合、スポーツ以外で最も頻繁に使用するインターフェイスデータを特定しても良い。
【００８６】
画像解析部を備える構成により、現在位置や撮像対象グループによってインターフェイスが特定できないような場合であっても、撮像対象に応じた適切なインターフェイスを自動的に選択することができる。
【００８７】
なお、動画像の解析結果や現在位置等は、撮像状況の一例であり、撮像に関するその他の任意の情報（たとえば天候）を基にインターフェイスを選択しても良い。また、画像解析部は、動画像の解析だけではなく、静止画像の解析を行っても良いことは言うまでもない。
【００８８】
以上、本発明を上記実施形態に即して説明したが、上記実施形態の構成にのみ限定されるものではなく、本願発明の範囲内で当業者であればなし得る各種変形、修正、組み合わせを含むことは勿論である。
【００８９】
例えば、メインメモリ２０６内に記憶する情報の一部は、撮像装置１に着脱可能な記憶装置（例えばＵＳＢメモリ）に記憶されても良いことは言うまでもない。また、撮像装置１は、ネットワーク上からメインメモリ２０６内に保持すべき情報を適宜ダウンロードしても良い。また、メインメモリ２０６内に記憶されている情報の少なくとも一部は、中央演算装置４００内の記憶部（図示せず）に記憶されていても良い。
【００９０】
また、上述の中央演算装置４００の任意の処理は、ＣＰＵ（Central Processing Unit）にコンピュータプログラムを実行させることにより実現することも可能である。この場合、コンピュータプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００９１】
また、コンピュータが上述の実施の形態の機能を実現するプログラムを実行することにより、上述の実施の形態の機能が実現される場合だけでなく、このプログラムが、コンピュータ上で稼動しているＯＳ（Operating System）もしくはアプリケーションソフトウェアと共同して、上述の実施の形態の機能を実現する場合も、本発明の実施の形態に含まれる。さらに、このプログラムの処理の全てもしくは一部がコンピュータに挿入された機能拡張ボードやコンピュータに接続された機能拡張ユニットによって行われて、上述の実施の形態の機能が実現される場合も、本発明の実施の形態に含まれる。
【００９２】
なお、上述の説明では、撮像装置を対象として本発明を説明したが、本発明を撮像能力の無い装置に応用することも可能である。以下、撮像能力の無い装置を含む応用システムについて説明する。
【００９３】
当該応用システムは、静止画及び動画を撮像可能な撮像装置（以下、ビデオカメラであるものとする）と、当該撮像装置と通信可能な任意の通信装置（以下、携帯端末装置であるものとする）を備える。当該応用システムは、例えばユーザがスポーツの試合を試合会場で観戦しながら雲台等を用いてビデオカメラで撮像を行い、撮像画像データに適宜入力するようなケースに応用できる。ここで、ユーザは、雲台をセットしてビデオカメラで自動的に撮影を行い、肉眼で試合状況を把握しながら把持しやすい携帯端末装置等を操作してタグの入力操作を行う。
【００９４】
携帯端末装置は、前述の中央制御部４００内のインターフェイス特定部４０３や液晶ディスプレイ３０４を備えるものの、撮像能力は有さなくても良い。ここで、携帯端末装置とビデオカメラは、物理的に近い位置にあることを想定している。そのため、スマートフォン内に撮像状況情報取得部４０１が存在し、上述の撮影状態を検出した場合であっても、検出した状態をビデオカメラの撮像状況と同視することができる。なお、ビデオカメラ内にのみ撮像状況情報取得部４０１があり、携帯端末装置がビデオカメラ内の撮像状況情報取得部４０１から撮像の状況に関する情報を適宜取得する構成であっても良い。
【００９５】
携帯端末装置内のインターフェイス特定部４０３は、取得した撮像状況に応じて前述の手法によりインターフェイスを選択し、液晶ディスプレイ３０４に選択したインターフェイス画像を表示する。ユーザは、携帯端末装置の操作により適宜タグを入力する。携帯端末装置は、入力されたタグと時刻情報を関連付けて任意の記憶装置に保存する。この記憶装置に記憶された各タグと、ビデオカメラの撮像画像データを関連付けることにより、タグの付与された撮像画像データを得ることができる。なおこの場合には、ビデオカメラの時刻情報と携帯端末装置の時刻情報は、同期しているものとする。
【００９６】
また、携帯端末装置は、タグが入力される毎に入力内容をビデオカメラに送信しても良い。通信時間が無視できる程度に小さい場合、タグの付与された撮像画像データを得ることができる。
【００９７】
上記の構成であっても、携帯端末装置は、撮像状況に応じてインターフェイスデータを自動的に特定し、特定したインターフェイスデータを基に生成したインターフェイス画像を液晶モニタに表示できる。すなわち、インターフェイスデータが撮像状況に応じて自動的に特定されるため、ユーザがインターフェイスを選択する手間を省くことができる。
【００９８】
当該応用システムにおいても、通信装置（上述の例では携帯端末装置）内の中央演算装置４００の任意の処理は、ＣＰＵ（Central Processing Unit）にコンピュータプログラムを実行させることにより実現することが可能である。
【００９９】
また、撮像装置ないし携帯端末装置が、無線通信を始めとしたネットワーク通信を外部サーバと行い、各種のデータをそれらの機器間で送受信しあうシステムにおいては、本発明をその外部のサーバに応用することも可能である。
【０１００】
すなわち外部のサーバは、撮像装置等の位置情報等の撮像状況に関する情報を、自ら導出する、又は撮像装置等から受信するなどして取得し、取得された撮像状況に関する情報に基づいて、サーバ内に記憶されているインターフェイスデータの中から、その撮像状況に応じたインターフェイスデータを特定する。そして、特定したインターフェイスデータもしくは特定したインターフェイスデータから生成したインターフェイス画像データを、ネットワーク通信を介して撮像装置等に送信出力する。
【０１０１】
以上のようにすることで、撮像装置等の各種処理負担を軽減した上で、ユーザは撮像状況に応じて自動的に変更された撮像画像データにタグを入力するためのインターフェイス画像を使用することができる。
【符号の説明】
【０１０２】
１  撮像装置
１００  撮像部
１０１  ズームレンズ
１０２  フォーカスレンズ
１０３  絞り
１０４  撮像素子
１０５  アナログ画像信号処理部
１０６  画像Ａ／Ｄ変換部
１０７  画像入力コントローラ
１０８  デジタル信号処理部
１０９  マイク
１１０  アナログ音声信号処理部
１１１  音声Ａ／Ｄ変換部
１１２  音声入力コントローラ
１１３  多重化部
２００  バス
２０１  圧縮・身長処理部
２０２  音声・画像処理部
２０３  ＲＯＭ
２０４  フラッシュＲＯＭ
２０５  ＶＲＡＭ
２０６  メインメモリ
２０７  ＵＩ管理情報
２０８  位置−ＵＩ対応情報
２０９  地図情報
２１０  グループ情報
２１１  ジャイロセンサ
２１２  時計
３０３  入出力Ｉ／Ｆ
３０４  液晶モニタ
３０５  スピーカ
３０６  操作部
３０７  入出力端子
３０８  無線Ｉ／Ｆ
３０９  無線モジュール
３１０  通信Ｉ／Ｆ
３１１  通信モジュール
４００  中央制御部
４０１  撮像状況情報取得部
４０２  位置情報取得部
４０３  インターフェイス特定部
４０４  表示画像生成部
４０５  グループ情報取得部
５０１  ヒットボタン
５０２  アウトボタン
５０３  フォアボールボタン
５０４  チェンジボタン
５０５〜５０８  得点ボタン
【図１】
0005821699.tif 000002
【図２】
0005821699.tif 000003
【図３】
0005821699.tif 000004
【図４】
0005821699.tif 000005
【図５】
0005821699.tif 000006
【図６】
0005821699.tif 000007
【図７】
0005821699.tif 000008
【図８】
0005821699.tif 000009
【図９】
0005821699.tif 000010
【図１０】
0005821699.tif 000011
【図１１】
0005821699.tif 000012